【事件の表示】
　特願２０００−２９８４６７「弾球遊技機」拒絶査定不服審判事件〔平成１４年　４月　９日出願公開、特開２００２−１０２４９０〕について、次のとおり審決する。
【結　論】
　本件審判の請求は、成り立たない。
【理　由】
第一、手続きの経緯
　本願は、平成１２年９月２９日の出願であって、平成１４年１１月１３日付けで拒絶理由が通知され、これに対し、平成１５年１月２１日付けで手続補正がなされ、平成１５年１０月１５日付で拒絶査定がなされ、これに対し、同年１１月２０日に拒絶査定に対する審判請求がなされるとともに、同日付け手続補正書によって明細書の一部が補正されたものである。
　
第二、平成１５年１１月２０日付の手続補正についての補正却下の決定
［補正却下の決定の結論］
　平成１５年１１月２０日付の手続き補正を却下する。
［理由］
　（１）補正後の本願発明　　
　平成１５年１１月２０日付手続補正書による補正（以下、「本件補正」という）により、特許請求の範囲の請求項３乃至９は削除され、請求項１及び２のうちの請求項１は、「外枠（２）と、該外枠（２）に開閉自在に枢着された前枠（４）と、該前枠（４）に着脱自在に装着された遊技盤（６）と、遊技球を貯留する球受皿（９）とを備え、前記球受皿（９）に賞球を払い出す賞球払出手段（３２ａ）と、前記球受皿（９）に貸球を払い出す貸球払出手段（３２ｂ）と、遊技球を貯留する遊技球タンク（３０）と、該遊技球タンク（３０）から前記賞球払出手段（３２ａ）及び前記貸球払出手段（３２ｂ）に遊技球を誘導する球供給通路（３１）とを、前記前枠（４）に着脱自在に装着した弾球遊技機において、
　前記前枠（４）の裏面に、前記遊技盤（６）を装着するための遊技盤装着枠（５）を設け、該遊技盤装着枠（５）は前記遊技盤（６）が着脱自在に嵌合する受け部（２３）を有する門型状とし、前記遊技盤装着枠（５）の上部の横枠部（５ｃ）に前記球供給通路（３１）を装着すると共に、前記横枠部（５ｃ）で前記遊技球タンク（３０）の重量を下側から受けるように、前記遊技盤（６）の裏面で前記横枠部（５ｃ）上に該横枠部（５ｃ）の上面に沿って前記遊技球タンク（３０）を設けたことを特徴とする弾球遊技機。」と補正された。
　
　上記補正は、請求項の削除及び、
　補正前（平成１５年１月２１日付手続補正により補正された特許請求の範囲）の請求項１に記載された発明を特定するために必要な事項である「遊技盤（６）を装着するための遊技盤装着枠（５）」について「遊技盤装着枠（５）は前記遊技盤（６）が着脱自在に嵌合する受け部（２３）を有する門型状とし、」と限定し、また同「遊技盤装着枠（５）の横枠部（５ｃ）に前記球供給通路（３１）を装着」を「遊技盤装着枠（５）の上部の横枠部（５ｃ）に前記球供給通路（３１）を装着」と限定し、同「遊技球タンク（３０）を前記横枠部（５ｃ）の上面に沿って設けた」を「横枠部（５ｃ）で前記遊技球タンク（３０）の重量を下側から受けるように、前記遊技盤（６）の裏面で前記横枠部（５ｃ）上に該横枠部（５ｃ）の上面に沿って前記遊技球タンク（３０）を設けた」と限定するものであるから、本件補正は、平成１８年改正前特許法第１７条の２第４項第１号の請求項の削除及び同条同項第２号の特許請求の範囲の減縮を目的とするものに該当する。
　
　（２）そこで、本件補正後の前記請求項１に記載された発明（以下、「本願補正発明」という）が特許出願の際独立して特許を受けることができるものであるのか（平成１５年改正前特許法第１７条の２第５項において準用する同法第１２６条第４項の規定に適合するか）について以下に検討する。
　
　（３）特許法第３６条第６項第２号の検討
　（３−１）「遊技盤（６）」及び「球供給通路（３１）」の構成について、本願補正発明における「・・・と、該前枠（４）に着脱自在に装着された遊技盤（６）と、・・・とを備え、・・・と、該遊技球タンク（３０）から前記賞球払出手段（３２ａ）及び前記貸球払出手段（３２ｂ）に遊技球を誘導する球供給通路（３１）とを、前記前枠（４）に着脱自在に装着した弾球遊技機において、前記前枠（４）の裏面に、前記遊技盤（６）を装着するための遊技盤装着枠（５）を設け、該遊技盤装着枠（５）は前記遊技盤（６）が着脱自在に嵌合する受け部（２３）を有する門型状とし、前記遊技盤装着枠（５）の上部の横枠部（５ｃ）に前記球供給通路（３１）を装着すると共に、・・・とする弾球遊技機。」の記載では、 
　遊技盤（６）が着脱自在に設け（着脱自在に装着、着脱自在に嵌合）られる対象は、前枠（４）であるのか受け部（２３）を有する遊技盤装着枠（５）であるのかが不明であり、
　球供給通路（３１）が設け（着脱自在に装着、装着）られる対象は、前枠（４）であるのか遊技盤装着枠（５）の上部の横枠部（５ｃ）であるのかが不明である。 
　（３−２）「遊技盤（６）」と「遊技球タンク（３０）」との位置関係について、本願補正発明における「・・・と、該前枠（４）に着脱自在に装着された遊技盤（６）と、・・・とを備え、・・・と、遊技球を貯留する遊技球タンク（３０）と、・・・とを、前記前枠（４）に着脱自在に装着した弾球遊技機において、前記前枠（４）の裏面に、前記遊技盤（６）を装着するための遊技盤装着枠（５）を設け、該遊技盤装着枠（５）は前記遊技盤（６）が着脱自在に嵌合する受け部（２３）を有する門型状とし、前記遊技盤装着枠（５）の上部の横枠部（５ｃ）に・・・を装着すると共に、前記横枠部（５ｃ）で前記遊技球タンク（３０）の重量を下側から受けるように、前記遊技盤（６）の裏面で前記横枠部（５ｃ）上に該横枠部（５ｃ）の上面に沿って前記遊技球タンク（３０）を設けたことを特徴とする弾球遊技機。」の記載では、「遊技盤（６）の裏面で前記横枠部（５ｃ）上に・・・前記遊技球タンク（３０）を設け」の技術的意味が理解できない。
　本願補正発明の記載から「遊技盤（６）は門型状の遊技盤装着枠（５）に嵌合し、前記遊技盤装着枠（５）の上部の横枠部（５ｃ）上に遊技球タンク（３０）を設けた」こと、即ち「遊技盤（６）の上方に遊技球タンク（３０）が設けられ」た事項が把握され、そうすると本願補正発明の「遊技盤（６）の裏面で前記横枠部（５ｃ）上に・・・前記遊技球タンク（３０）を設け」との記載事項と矛盾する構成となるから、「遊技盤（６）」と「遊技球タンク（３０）」との位置関係についての技術的意味が理解できない。
　
　したがって、本願補正発明の記載は、特許を受けようとする発明が明確でなく、特許法第３６条第６項第２号の規定に反するものであるから、本願補正発明は、特許出願の際独立して特許を受けることができないものである。　
　
　（４）特許法第２９条第２項の検討
　（あ）刊行物に記載された発明
刊行物１；特開平７−３１７３９号公報
刊行物２；特開２０００−１９７７５０号公報
　　　　　（平成１２年７月１８日公開）
刊行物３；特開平１１−３４７２２０号公報
刊行物４；特開２０００−１５３０４１号公報
　　　　　（平成１２年６月６日公開）
　
　原査定の拒絶の理由に引用された特開平７−３１７３９号公報（以下、「引用刊行物１」という）には、以下の記載がある。
　「【０００１】
【産業上の利用分野】本発明は、遊技盤を装着する遊技盤取付枠の裏面であって、その一側に後方へ立上がる景品球払出機構、また上下部に景品球タンク及び入賞球処理機構をそれぞれ直接組み付けるようにして機構板を無くし、遊技盤裏面に広いスペースを確保し、その有効利用を図らんする新規なパチンコ機の遊技盤取付枠に関するものである。」
　「【００１１】　　
【実施例】以下に本発明に係るパチンコ機の遊技盤取付枠の一実施例を図面と共に説明する。図１は本発明が適用されるパチンコ機の裏面図であり、図中、１はパチンコ機の機枠、２は機枠１の一側に蝶着され開閉自在に取り付けられる前面枠であり、その裏面に遊技盤３が着脱可能に装着されている。４は前面枠２の裏側に固着され、遊技盤３が取り付けられる遊技盤取付枠である。
【００１２】遊技盤取付枠４は、その下部に図２に示すように遊技盤３の下端縁を支持する支持板部５と、該支持板部５の両側部より上方に門状に形成され遊技盤３の前面両側端縁及び上端縁を支持する枠部材６とにより一体に形成されている。このため、枠部材６の左右側枠６ａ，６ｂの内面には上側枠６ｃの裏面と連なる段部７，７が設けられている。
【００１３】また、一方の側枠６ａ裏面に長手方向に亘って後方へ突出する平板状の保持部材８が一体に設けられている。該保持部材８は後記する景品球払出機構Ｂを組み付けるためのもので、上部に上部通孔９を設けると共に下部に下部通孔１０が設けられている。１１，１１は左右側枠６ａ，６ｂの下部から互いに内側へ張り出させた張出片で、遊技盤３前面の両隅角部を覆うようにしている。
【００１４】そして、図３に示すように、枠部材６の上部裏面にはパチンコ球を貯留する景品球タンクＡ，保持部材８の外側には入賞球の発生により一定個数のパチンコ球を払い出すための景品球払出機構Ｂ，支持板部５の裏面には入賞球を処理するための入賞球処理機構Ｃがそれぞれ組み付けられる。次に、景品球タンクＡ，景品球払出機構Ｂ，入賞球処理機構Ｃを順に説明する。
【００１５】まず、景品球タンクＡは図４に示すように取付板１２を介して枠部材６の裏面に取り付けられ、上面が開口する横長箱形状に形成されている。そして、長手方向の一側壁１３ａにパチンコ球が流出する球出口１４が設けられている。また、内底面は流出口１４に向って若干下傾するように形成され、しかも図６に示すように流出口１４側の前後側壁１３ｂ，１３ｃを互いに内側に膨出させ、その間に２個のパチンコ球が横に並んで流下できる幅を有した球通路１５が形成されている。」　
　「【００１８】前記、取付板１２の一側裏面には景品球タンクＡ内の二条の球通路１５と球出口１４を介して連通する球流路２４が装着されている。・・・尚、図５において２９，２９…は景品球タンクＡ及び球通路２４を取付板１２に装着するための取付用ビスである。
【００１９】取付板１２と景品球タンクＡの前側壁１３ｂには押すと先端部が開いて係合でき、引くと閉じて抜脱できる公知の係止フック３０，３０が設けられており、景品球タンクＡを取付板１２に複数の取付用ビス２９，２９…により固着した後、前記係止フック３０，３０を上側枠６ｃと左側枠６ｂに開設される係止孔３１，３１に押し込み、更に左側枠６ｂ上端に設けられる回動自在の係止片３２を取付板１２の裏面に係止することにより景品球タンクＡが枠部材６に着脱自在に組み付けられることになる。
【００２０】次に、景品球払出機構Ｂは、図８，図９に示すように縦長の２枚の側板３３ａ，３３ｂを並設した右側枠６ａと略同幅の箱状ケース部Ｋ内に収められている。そして、保持部材８の外側に密着する側板３０ａ上部に前記上部通孔９を介して球流路２４と連通する景品球導入口３４が設けられ、また下部には下部通孔１０に合致する景品球排出口３５が設けられている。・・・
【００２１】景品球払出機構Ｂの内部には、その上部に前記景品球導入口３４から流入するパチンコ球を受け入れ流下させる二条の供給通路３８ａ，３８ｂを蛇行状に形成，している。そして、一方の供給通路３８ａの下流一側に景品球を同時に複数個払い出す第１景品球払出装置３９ａが設けられると共に、他方の供給通路３８ｂの下流一側に景品球を１個ずつ払い出す第２景品球払出装置３９ｂが設けられている。前記供給通路３８ａは、その下流端に側面円形状の収納部４０が形成され、その下方に流出通路４１が形成されている。また、図１０に示すように第１景品球払出装置３９ａは、外周に景品球が嵌入し得る凹部４２ａが複数（実施例では５個）形成され自在に回転するスプロケット４２と、該スプロケット４２を一回転ずつ回転制御するレバー部材４３と、該レバー部材４３を作動させるソレノイド４４とから大略構成されている。」
　「【００３４】前記各流出通路４１，４１の下側には、図１０に示すよう第１，第２景品球払出装置３９ａ，３９ｂからそれぞれ払い出された景品球をパチンコ機の前面に装着される球受皿（図示せず。）に導くため、前記景品球排出口３５と連なる排出通路６７とパチンコ機外に景品球を排出する球抜き通路６８とが分岐して設けられており、その分岐箇所には切替レバー６９が軸７０によって回動自在に設けられている。」　
　「【００３６】景品球払出機構Ｂが収まる箱状ケース部Ｋは、保持部材８の各ビス止め用の突起３７，３７…に各嵌入孔３６，３６…を嵌入し、更に、外から取付用ビス２９を螺締することにより、保持部材８に組み付けられる。」　
　「【００４８】本発明は、上記構成よりなり、遊技盤取付枠４に遊技盤３を支持板部５の受板１１３上面に載置し、前面両側を左右側枠６ａ，６ｂの段部７に当接するようにして固定する。更に、遊技盤取付枠４の一側に設けた保持部材８に景品球払出機構Ｂを組み付けると共に、上下部にそれぞれ景品球タンクＡ及び入賞球処理機構Ｃが組み付けられる。このように、従来のような機構板を無くし、しかも特に景品球払出機構Ｂを右側枠６ａの裏側に後方へ立上がるように設け、加えれば景品球タンクＡ内に球通路１５を設けて従来の誘導樋を無くしたので、遊技盤３の裏面には、ほぼ全体に亘り広い面積のスペースが形成される。」
　「【００５３】これにより、例えば遊技盤３面に装着された一般の入賞口に入った入賞球は・・・パチンコ機外へ排出される。途中、検出センサー９４で検出されて、前記第１・第２景品球払出装置３９ａ，３９ｂから景品球が例えば１３個払い出され、該各景品球は排出通路６７，導出通路８５を介して連絡口８６からパチンコ機前面の上部球受皿に排出される。」　
　「【００５５】
【発明の効果】・・・しかも、遊技盤取付枠を前面枠に固着するのみで、景品球タンク、景品球払出装置等の所謂裏部品も同時に取付けられることとなり、従来の如く機構板を更に取り付けるといった手間が省け、取付作業の簡略化が図られる。更には、各機構が小さく分散化されるので、成型上金型の小型化及び輸送の簡易化が可能となり、これらコストの低廉が図られる。」　
　　
　また、パチンコ機の裏面図である【図１】及び遊技盤取付枠に各種機構を組み付けた状態の裏面斜視図である【図３】には「上側枠６ｃの上面に沿って取付板１２及び景品球タンクＡを設け」た技術事項が記載されている。　
　
　したがって、これらの記載をまとめると、引用刊行物１には、
「機枠１と、該機枠１の一側に蝶着され開閉自在に取り付けられる前面枠２と，該前面枠２の裏側に固着される遊技盤取付枠４に取り付けられ該前面枠２の裏面に着脱可能に装着されている遊技盤３と、パチンコ機前面に上部球受皿とを備えたパチンコ機において、
　（イ）前記前面枠２の裏側に固着される遊技盤取付枠４は、その下部に遊技盤３の下端縁を支持する支持板部５と、該支持板部５の両側部より上方に門状に形成され遊技盤３の前面両側端縁及び上端縁を支持する枠部材６とにより一体に形成され、枠部材６の左右側枠６ａ，６ｂの内面には上側枠６ｃの裏面と連なる段部７，７が設けられ、右側枠６ａの裏面には景品球払出機構Ｂを組み付けるための平板状の保持部材８が一体に設けられ
　（ロ）遊技盤３を支持板部５に載置し前面両側を左右側枠６ａ，６ｂの段部７に当接するようにして遊技盤３を遊技盤取付枠４に固定し、
　（ハ）パチンコ球を貯留する景品球タンクＡが、枠部材６の上側枠６ｃの上面に沿って設けられた取付板１２を介して、枠部材６の上部裏面に上側枠６ｃの上面に沿って着脱自在に組み付けられ、
　（ニ）前記取付板１２の一側裏面には景品球タンクＡ内の球通路１５と球出口１４を介して連通する球流路２４が装着され、
　（ホ）前記景品球払出機構Ｂは縦長の２枚の側板３３ａ，３３ｂを並設した箱状ケース部Ｋ内に収められ、該箱状ケース部Ｋは取付用ビス２９を螺締することにより保持部材８に組み付けられ、前記側板３３ａ上部には球流路２４と連通する景品球導入口３４が設けられ、景品球払出機構Ｂの内部には前記上部球受皿に景品球を同時に複数個払い出す第１景品球払出装置３９ａと前記上部球受皿に景品球を１個ずつ払い出す第２景品球払出装置３９ｂとが設けられ、
　（ヘ）機構板を無くし、取付作業の簡略化やコストの低廉が図られる、
　パチンコ機。」の発明（以下、「引用発明１」という）が記載されていると認められる。
　
　原査定の拒絶の理由に引用された特開２０００−１９７７５０号公報（以下、「引用刊行物２」という）には、以下の記載がある。
　「【００７３】そこで、以下、機構板２００の構成について、各構成部毎に説明する。まず、図１１に示すように、上部構成部には、多量の賞球を貯留する賞球タンク２０４と、該賞球タンク２０４から供給される賞球を仕切壁２１４ａ，２１４ｂによって複数列（本実施の形態の場合、３列）に整列して流下させる玉整列レール部材２１３と、該玉整列レール部材２１３によって誘導された賞球を後述する球払出装置２４０に向けて方向転換するカーブレール部材２２４と、該カーブレール部材２２４の上方に設けられた情報端子基板２２０がそれぞれ所定の位置に設けられている。
【００７４】賞球タンク２０４は、図１１に示すように、その左右両側に突設された取付片２０５によって機構板主体２０１の所定の位置にビス２０６で取付けられるようになっている。また、賞球タンク２０４は、上面が開放したボックス状に形成されるとともに、その底面２０７の下流側に玉整列レール部材２１３と連通する落下口２１０が開設され、該落下口２１０の一側に玉詰まりを防止する玉崩し部２１１が隆起形成されている。・・・
【００７５】上記した賞球タンク２０４の下流側に配置される玉整列レール部材２１３は、上部構成部の一端から他端に向けて傾斜状に取付けられ、その内部中央に２条の仕切壁２１４ａ，２１４ｂが立設されている。この仕切壁２１４ａ，２１４ｂは、賞球タンク２０４の落下口２１０から流出した賞球を下流に向かうにしたがって確実に３列に整列させるために徐々に高く形成されている。そして、仕切壁２１４ａ，２１４ｂによって区画された３列のレール部のうちの図１１の奥側１列を球貸用レール部２１５とし、手前側２列を賞球用レール部２１６ａ，２１６ｂとしている。・・・
【００７６】・・・これは、１回の貸球（“貸玉”とも記載する。以下、同様）分を確保するためで、・・・　
【００７７】・・・なお、玉整列レール部材２１３の下流側には、カーブレール部材２２４が接続されるが、このカーブレール部材２２４は、上部構成部と中間構成部とに跨がって構成されるので、次の中間構成部の説明箇所で詳細に説明する。」　
　「【００８１】しかして、中間部補強リブ２２２ａ，２２２ｂとによって囲まれる中間構成部の上部には、上記した玉整列レール部材２１３の下流側に接続される逆「く」字状のカーブレール部材２２４が配置されている。このカーブレール部材２２４は、玉整列レール部材２１３によって前後方向（機構板２００の背面から見て）３列に流下される玉を左右方向（同じく機構板２００の背面から見て）３列に流下するように方向転換するものである。そして、このカーブレール部材２２４は、詳細に図示しないが、玉整列レール部材２１３の球貸用レール部２１５に連通する球貸用カーブレール部と賞球用レール部２１６ａ，２１６ｂに連通する賞球用カーブレール部とに区画されている。
【００８２】上記したカーブレール部材２２４の下流側であって前記中間部補強リブ２２２ａ，２２２ｂとの間の空間には、玉通路部材２２７と球払出装置２４０とが取付けられている。玉通路部材２２７は、前記カーブレール部材２２４によって流下方向を左右に変換された３列で玉を流下させるものであり、球貸用カーブレール部に連通される球貸用通路部２２８と賞球用カーブレール部に連通される２列の賞球用通路部２２９とが区画されて並列状に形成されている。・・・」　
　「【００８４】・・・しかして、球払出装置２４０を装着した状態では、球払出装置２４０のケース２４１と玉ストッパー部材２３２の当接部とが当接して玉ストッパー部材２３２の下端部が後方に向かって弾性変形するので、ストッパー片は、挿通穴から退避して球貸用通路部２２８および賞球用通路部２２９を流下する玉を球払出装置２４０に供給するようになっているが、球払出装置２４０を取外したときには、玉ストッパー部材２３２が元の形状に戻るので、ストッパー片が挿通穴に挿入して自動的に玉通路部材２２７の球貸用通路部２２８および賞球用通路部２２９を閉塞して玉が流下させないようになっている。このように、玉ストッパー部材２３２を設けることにより、球払出装置２４０を交換する必要が生じた場合でも、玉抜き操作を行なう必要がない。
【００８５】上記した玉通路部材２２７の下方の中間構成部に取着される球払出装置２４０は、透明な合成樹脂で成形される直方体状のケース２４１の内部に収納されて機構板主体２０１の前面側に着脱自在に取付けられるようになっている。球払出装置２４０の構造について、ここで簡単に説明しておくと、ケース２４１内は、玉通路部材２２７の前記球貸用通路部２２８に連通する１条の貸球通路１２４５と前記賞球用通路部２２９に連通する２条の賞球通路１３００，１３０１（賞球用入口２４６，２４７が形成されている）とに区画され、１条の貸球通路１２５０（貸球用入口２４５が形成されている）に球貸しモータ２４８（ステッピングモータが使用されているが、ソレノイド等の駆動源でもよい）によって駆動される玉払出部材１２６１（スクリューやスプロケット等のモータによって駆動される回転部材、あるいは玉の流下を阻止したり許容したりするソレノイドによって駆動されるストッパー部材）が臨み、また、２条の賞球通路１３００，１３０１に賞球モータ２４９（ステッピングモータが使用されている）によって駆動される玉払出部材１３１５が望むようになっている。そして、各モータ２４８，２４９を回転せしめることにより、玉を１個単位で払出すようにしている。・・・」　
　「【００８８】そして、上記のように構成される球払出装置２４０は、前述した玉ストッパ部材２３２の下方で機構板主体２０１の前面側に着脱自在に装着し得るようになっている。・・・」　
　「【００９１】以上、説明したように、球払出装置２４０は、貸球を払出すための貸球払出機構と賞球を払出すための賞球払出機構とがユニット化されて構成されるものである。このように、球払出装置２４０は、貸球を払出すための貸球払出機構と賞球を払出すための賞球払出機構とがユニット化されて構成され、かつ、構板主体２０１の前面側に着脱自在に取付けられるように構成されているためにパチンコ遊技機１のメンテナンスが容易となる。」　
　「【００９３】そこで、まず、機構板２００の下部構成部の背面から見て右側部分（以下、右側下部構成部という）の構成について図１２〜図１６を参照して説明する。機構板２００の右側下部構成部の一側上部に賞球通路２７０が形成され、該賞球通路２７０の下端に上皿連通口２７１が形成されている。この上皿連通口２７１は、パチンコ遊技機１の前面に設けられる上皿１９に賞球を導くものである。上皿連通口２７１の一側側方には、連絡通路２７２が形成され、その連絡通路２７２の下流に余剰球通路２７３が接続されている。」　
　「【０４２１】次に、以上説明した発明の実施の形態の変形例や特徴点について以下に列挙する。
【０４２２】（１）  前述した実施の形態においては、・・・景品玉（賞球）・・・
【０４２４】（３）  貸球および賞球は、それぞれ、全く別の径路を通って上皿１９に払出されるように、球払出装置２４０から上皿１９に至るまでの通路を貸球専用通路と賞球専用通路との２つの通路で構成してもよい。」　
　「【０４３２】払出制御基板２９１により、前記景品玉払出装置を制御して前記景品玉を払出す制御を行なうとともに、前記貸玉払出装置を制御して前記貸玉を払出す制御を行なう払出制御手段が構成されている。仕切壁２１４ａ，２１４ｂによって区画された３列のレール部のうちの図１１の手前側２列の賞球用レール部２１６ａ，２１６ｂにより、前記景品玉払出装置に玉を供給するための景品玉用供給通路が構成されている。仕切壁２１４ａ，２１４ｂによって区画された３列のレール部のうちの図１１の奥側１列の球貸用レール部２１５により、該景品玉用供給通路とは別径路で前記貸玉払出装置に玉を供給するための貸玉用供給通路が構成されている。
【０４３３】図２３に示す２条の賞球通路１３００，１３０１により、前記景品玉払出装置によって払出される景品玉を所定箇所へ誘導するための景品玉誘導通路が構成されている。図２２に示す貸球通路１２５０により、前記貸玉払出装置によって払出される貸玉を前記景品玉用供給通路とは別径路で所定箇所へ誘導するための貸玉誘導通路が構成されている。上皿１９により、前記所定箇所が構成されている。」　
　「【０４３７】・・・図１１等に示す球払出装置２４０により、前記景品玉払出装置と前記貸玉払出装置とは、前記弾球遊技機に対して一体的に着脱可能にユニット化されていることが開示されている。・・・」　
　
　したがって、引用刊行物２には、
「多量の賞球を貯留する賞球タンク２０４は、機構板主体２０１の所定の位置にビス２０６で取付けられ、
　賞球タンク２０４の下流側に配置される玉整列レール部材２１３は、奥側１列を球貸用レール部２１５とし、手前側２列を賞球用レール部２１６ａ，２１６ｂとし、
　玉整列レール部材２１３の下流側には、カーブレール部材２２４が接続され、カーブレール部材２２４は、玉整列レール部材２１３の球貸用レール部２１５に連通する球貸用カーブレール部と賞球用レール部２１６ａ，２１６ｂに連通する賞球用カーブレール部とに区画され、
　カーブレール部材２２４の下流側には、玉通路部材２２７と球払出装置２４０とが取付けられて
　玉通路部材２２７は、球貸用カーブレール部に連通される球貸用通路部２２８と賞球用カーブレール部に連通される２列の賞球用通路部２２９とが区画されて並列状に形成され、
　球貸用通路部２２８および賞球用通路部２２９を流下する玉を球払出装置２４０に供給するようになっており、
　球払出装置２４０は、貸球を払出すための貸球払出機構と賞球を払出すための賞球払出機構とがユニット化されて構成され、直方体状のケース２４１の内部に収納されて機構板主体２０１の前面側に着脱自在に装着し得るようになっており、
　ケース２４１内は、玉通路部材２２７の前記球貸用通路部２２８に連通する１条の貸球通路１２５０と前記賞球用通路部２２９に連通する２条の賞球通路１３００，１３０１とに区画され、
　貸球通路１２５０により、払出される貸球を上皿１９へ誘導するための通路が構成され、
　賞球通路１３００，１３０１により、払出される賞球を上皿１９へ誘導す通路が構成されている、パチンコ遊技機１。」の発明（以下、「引用発明２」という）が記載されていると認められる。
　
　原査定に周知技術として引用された特開平１１−３４７２２０号公報（以下、「引用刊行物３」という）には、以下の記載がある。
　「【特許請求の範囲】
【請求項１】  パチンコ機の裏面上方に形成された球タンクの取付部の両側縁に挿入開口を有する取付固定部を設け、一方球タンクの両側には前記取付固定部に嵌合する取付片を設け、さらに前記挿入開口から挿入する係止具を別体に形成し、球タンクを取付部に臨ませて取付片を前記取付固定部に嵌め込むと共に、係止具を挿入開口から差込み係止することにより同時に取付片を押え込んで球タンクを取付けるようにしたことを特徴とするパチンコ機の球タンク取付構造。」　
　「【００１３】
【発明の実施の形態】・・・また、遊技盤取付枠３の裏面側には遊技盤４を覆うように合成樹脂製の機構板５が装着される。該機構板５の裏面には球タンク６，導出樋７，パチンコ球払出装置８および入賞球処理装置９等裏機構が装着されている。
【００１４】図２は球タンク６を機構板５に取付けた状態を示す要部斜視図、図３は球タンク６を機構板５から取外した状態を示す要部斜視図である。前記機構板５の裏面上部には図３に示すように球タンク６の取付部１０が凹状に形成されている。この取付部１０は、球タンク６を機構板５に装着する際に球タンク６の後半部分を嵌合して位置決めすると共に、両側と底部を支える機能を有する。・・・
【００１５】しかして本発明では、機構板５の裏面であって球タンク６の取付部１０の左右両側位置に、球タンク６の取付固定部１３，１３を突出形成している。該取付固定部１３は箱型に形成され、上端に後述する係止具１４を差込む挿入開口１５が形成され、該挿入開口１５の開口縁部を係合部１６としている。また取付固定部１３は中間部に形成した挿通間隙１７により上下に分割されており、下部取付固定部１３ｂ下端に弾性を有する位置規制片１８を設け、挿通溝１９を介して支持部２０を設けている。
【００１６】一方、球タンク６の左右両側壁外面に取付片２２，２２を一体に設けている。該取付片２２は前面および上面が開放された箱状に形成され、後側の押え片部２３に前記下部取付固定部１３ｂを挿通する挿通開口２４が形成されている。２５は前記支持部２０に支持される支持片である。なお、前記取付片２２，２２は、球タンク６の後壁を取付部１０の奥壁に当接させた状態で機構板５の上面に密着するようにその位置が選ばれる。」　
　
　したがって、引用刊行物３には、
「パチンコ機の裏面上方に形成された球タンク６の取付部１０の左右両側位置に挿入開口を有する取付固定部１３，１３を設け、一方球タンク６の左右両側壁外面に前記取付固定部１３，１３に嵌合する取付片２２，２２を設け、球タンク６を取付部１０に臨ませて取付片２２，２２を前記取付固定部１３，１３に嵌め込むと共に、係止具１４を挿入開口から差込み係止することにより球タンク６を取付けるようにしたパチンコ機の球タンク取付構造において、
　前記取付部１０は凹状に形成され、球タンク６を機構板５に装着する際に球タンク６の後半部分を嵌合して位置決めすると共に、両側と底部を支える機能を有する、パチンコ機の球タンク取付構造。」の発明（以下、「引用発明３」という）が記載されていると認められる。
　
　原査定に周知技術として引用された特開２０００−１５３０４１号公報（以下、「引用刊行物４」という）には、以下の記載がある。
　「【０００１】
【発明の属する技術分野】本発明は、パチンコ機、アレンジボール機、雀球遊技機等の弾球遊技機に関するものである。」　
　「【００１５】貯留供給手段１１は、図２〜図４に示すように、遊技機本体１の前枠３の裏側に沿って左右方向に長い平面視矩形状の上側が開放するタンクにより構成されており、裏機構板４の上端部の裏側に形成された受け部１７上に配置され、前壁１８側の左右一対の取付孔１９に挿通する突起２０と、その後端の締結レバー２１とにより着脱自在に固定されている。
【００１６】・・・なお、貯留供給手段１１は、左右両端側がネジ２２により裏機構板４に着脱自在に固定されている。」　
　
　したがって、引用刊行物４には、
「左右方向に長い平面視矩形状の上側が開放するタンクにより構成される貯留供給手段１１は、裏機構板４の上端部の裏側に形成された受け部１７上に配置され、左右両端側がネジ２２により裏機構板４に着脱自在に固定されている、弾球遊技機。」の発明（以下、「引用発明４」という）が記載されていると認められる。
　
　（い）本願補正発明と引用発明１との比較・検討
　本願補正発明は、上記「第二．（３）」に記載したとおり特許を受けようとする発明が明確でないので、各構成部材について「発明の実施の形態」を参照すると、以下の記載がある。
　（い−ａ）「【０００９】
    【発明の実施の形態】
  ・・・前枠４には、その裏側の遊技盤装着枠５を介して遊技盤６が裏側から着脱自在に装着され、・・・」、
　（い−ｂ）「【００１２】
　遊技盤装着枠５は門型状であって、遊技盤６が裏側から着脱自在に嵌合する受け部２３を内周側に備え、前枠４の窓孔２４（図５、図８参照）を外側から取り囲むように前枠４の裏側に固定されている。・・・遊技盤６を遊技盤装着枠５に装着する際に・・・、遊技盤装着枠５内に装着された遊技盤６の・・・」、
　（い−ｃ）「【００１３】
　遊技盤６を遊技盤装着枠５に装着する際には、・・・これにより、遊技盤６は遊技盤装着枠５内に装着される。・・・」、
　（い−ｄ）「【００１５】
　また、前枠４の裏面側には、遊技盤装着枠５の上側に遊技球タンク３０が、横枠部５ｃ上に球供給通路３１が、縦枠部５ａ上に払い出し手段３２が、縦枠部５ａ上から遊技盤支承板２８上にかけて通路ユニット３３が、それぞれ着脱自在に装着されている。」、
　（い−ｅ）「【００１６】
　遊技球タンク３０は、島側の遊技球供給装置から供給された遊技球を貯留するためのもので、遊技盤装着枠５の横枠部５ｃの上面に沿って左右方向に長く形成されており、図３及び図４に示すように、左右方向両端部において、前枠４の裏側に突設された取付基部３４に、例えば木ねじ等により着脱自在に固定されている。このように、遊技球タンク３０及びその内部に貯留される遊技球の重量は、前枠４、とりわけ遊技盤装着枠５の横枠部５ｃの上面で受けられるようになっている。」、
　（い−ｆ）「【００１８】
　球供給通路３１は、・・・例えば遊技盤装着枠５の横枠部５ｃから後方に突設された取付基部４０に対して木ねじ等により着脱自在に装着されている。・・・」、
　（い−ｇ）「【００２１】
　・・・即ち、２つの賞球払出手段３２ａ、貸球払出手段３２ｂは、前板５１を除いて別体として形成されており、前板５１を介して遊技盤装着枠５の裏面側に着脱自在に装着されている。・・・」、
　（い−ｈ）「【００３６】
　・・・払い出し手段３２を前枠４の遊技盤装着枠５に着脱自在に装着し、更には遊技球タンク３０、球供給通路３１、通路ユニット３３等についても、前枠４若しくは前枠４に固定された遊技盤装着枠５や遊技盤支承板２８に装着しているため、・・・」。
　また、変更例として、以下の記載がある。
　（い−ｉ）「【００４１】
　また、払い出し手段３２は、縦枠部５ａの外側面など、前枠４の他の部分に装着しても良い。もちろん、払い出し手段３２を縦枠部５ｂ側に設けることも可能である。」、
　（い−ｊ）「【００４３】
　・・・遊技盤６を、前枠４の側面側から前枠４と平行に略水平に摺動させつつ、前枠４に装着するようにしてもよい。」。
　
　そこで各構成部材毎に上記（い−ａ）乃至（い−ｊ）の記載の要旨をまとめると、以下のとおりである。
　遊技盤６について、【０００９】では「前枠４に着脱自在に装着され」と、【００１２】及び【００１３】では「遊技盤装着枠５に装着」と記載されていて、同一の実施例内において装着対象が異なっている。また、【００４３】では変更例として「前枠４に装着するようにしてもよい」と記載されている。
　遊技球タンク３０について、【００１５】では「遊技盤装着枠５の上側に着脱自在に装着」と、【００１６】では「前枠４の裏側に木ねじ等により着脱自在に固定」と記載されていて、同一の実施例内において装着対象が異なっている。なお、【００３６】の記載からは遊技球タンク３０の装着対象を断定できない。
　球供給通路３１について、【００１５】では「横枠部５ｃ上に着脱自在に装着」と、【００１８】では「横枠部５ｃに木ねじ等により着脱自在に装着」とそれぞれ記載され当該記載相互は整合するものの、「前枠４に着脱自在に装着した」本願補正発明とは装着対象が異なっている。なお、【００３６】の記載からは球供給通路３１の装着対象を断定できない。
　払い出し手段３２について、【００１５】では「縦枠部５ａ上に着脱自在に装着」と、【００２１】【００３６】では「遊技盤装着枠５に着脱自在に装着」とそれぞれ記載され装着対象が整合している。【００４１】では変更例として「縦枠部５ａの外側面、前枠４の他の部分、縦枠部５ｂ側に設けることも可能」と装着対象を変更した記載がなされている。
　また、遊技盤（６）と遊技球タンク（３０）との位置関係については、「発明の実施の形態」を参照しても記載されていない。なお、平成１５年１２月１７日付けで補正された審判請求書の「（３）本願発明が特許されるべき理由　１）補正の根拠の明示　ハ）」の欄には「請求項１の「・・・前記遊技盤６の裏面で前記横枠部５ｃ上に該横枠部５ｃの上面に沿って前記遊技球タンク３０を設け」の補正事項は、当初明細書の段落００１５，００１６の記載に基づくものである。」と記載されているが、当初明細書の【００１５】及び【００１６】の記載内容は上記のとおりであって、「遊技盤６」の語句は記載されておらず、「図３及び図４」にも「遊技盤６」は示されていない。
　
　そうすると、本願補正発明は、「発明の実施の形態」を参照しても、上記「第二．（３）」に記載した明確でない点を解明できないから、依然として、特許を受けようとする発明が明確でない。
　　　　
　そこで次に、「図面」を参照すると、以下の事項が示されている。
　（い−１）【図５】及び【図８】には「遊技盤装着枠（５）に隣接配置された遊技盤（６）」の事項が、
　（い−２）【図８】には「賞球払出手段（３２ａ）と貸球払出手段（３２ｂ）とを、遊技盤装着枠（５）に近接配置」の事項が、
　（い−３）【図３】乃至【図５】には「遊技球タンク（３０）を前枠（４）に隣接配置」の事項が、
　（い−４）【図７】には「球供給通路（３１）を横枠部（５ｃ）に近接配置」の事項が、
　（い−５）【図２】及び【図３】並びに【図５】には「前枠（４）の裏面で横枠部（５ｃ）上に該横枠部（５ｃ）の上面に沿って遊技球タンク（３０）を設けた」の事項が、それぞれ示されている。
　
　そして、上記（い−１）乃至（い−５）の記載内容を、「発明の実施の形態」に記載された（い−ａ）乃至（い−ｊ）の記載内容と照合すると、
　（い−１）記載の「遊技盤装着枠（５）に隣接配置された遊技盤（６）」の事項は、（い−ｂ）記載の「遊技盤装着枠５は門型状であって、遊技盤６が裏側から着脱自在に嵌合する受け部２３を内周側に備え、・・・遊技盤６を遊技盤装着枠５に装着する際に・・・、遊技盤装着枠５内に装着された遊技盤６の・・・」、及び（い−ｃ）記載の「遊技盤６を遊技盤装着枠５に装着する際には、・・・これにより、遊技盤６は遊技盤装着枠５内に装着される。・・・」と符合し、
　（い−２）記載の「賞球払出手段（３２ａ）と貸球払出手段（３２ｂ）とを、遊技盤装着枠（５）に近接配置」の事項は、（い−ｄ）記載の「・・・縦枠部５ａ上に払い出し手段３２が、・・・着脱自在に装着されている。」、及び（い−ｇ）記載の「・・・２つの賞球払出手段３２ａ、貸球払出手段３２ｂは、・・・前板５１を介して遊技盤装着枠５の裏面側に着脱自在に装着されている。・・・」、並びに（い−ｈ）記載の「・・・払い出し手段３２を前枠４の遊技盤装着枠５に着脱自在に装着し、・・・」と符合し、
　（い−３）記載の「遊技球タンク（３０）を前枠（４）に隣接配置」の事項は、（い−ｅ）記載の「遊技球タンク３０は、・・・前枠４の裏側に突設された取付基部３４に、例えば木ねじ等により着脱自在に固定されている。・・・」と符合し、
　（い−４）記載の「球供給通路（３１）を横枠部（５ｃ）に近接配置」の事項は、（い−ｄ）記載の「・・・横枠部５ｃ上に球供給通路３１が、・・・着脱自在に装着されている。」、及び（い−ｆ）記載の「球供給通路３１は、・・・例えば遊技盤装着枠５の横枠部５ｃから後方に突設された取付基部４０に対して木ねじ等により着脱自在に装着されている。・・・」と符合し、
　（い−５）記載の「前枠（４）の裏面で横枠部（５ｃ）上に該横枠部（５ｃ）の上面に沿って遊技球タンク（３０）を設けた」の事項は、（い−ｄ）記載の「また、前枠４の裏面側には、遊技盤装着枠５の上側に遊技球タンク３０が、・・・着脱自在に装着されている。」、及び（い−ｅ）記載の「遊技球タンク３０は、・・・遊技盤装着枠５の横枠部５ｃの上面に沿って左右方向に長く形成されており、・・・左右方向両端部において、前枠４の裏側に突設された取付基部３４に、例えば木ねじ等により着脱自在に固定されている。・・・」と符合している。
　
よって、本願補正発明は、「図面」に示された（い−１）乃至（い−５）の記載内容を参酌し、次のとおりのものと解釈し直して、比較・検討する。（下線部が解釈変更部分である。）
　
「外枠（２）と、該外枠（２）に開閉自在に枢着された前枠（４）と、
遊技盤装着枠（５）
を、前記遊技盤装着枠５に着脱自在に装着し、
を、前記前枠（４）に着脱自在に装着し、
を、遊技盤装着枠（５）の横枠部（５ｃ）に
　前記前枠（４）の裏面に、前記遊技盤（６）を装着するための遊技盤装着枠（５）を設け、該遊技盤装着枠（５）は前記遊技盤（６）が着脱自在に嵌合する受け部（２３）を有する門型状とし、前記遊技盤装着枠（５）の上部の横枠部（５ｃ）に前記球供給通路（３１）を装着すると共に、前記横枠部（５ｃ）で前記遊技球タンク（３０）の重量を下側から受けるように、前記
前枠（４）
　
　そこで、本願補正発明と引用発明１とを比較・検討すると、引用発明１の「機枠１」は、本願補正発明の「外枠（２）」に相当し、以下同様に、「蝶着され開閉自在に取り付けられる」は「開閉自在に枢着され」に、「前面枠２」は「前枠（４）」に、「遊技盤取付枠４」は「遊技盤装着枠（５）」に、「遊技盤３」は「遊技盤（６）」に、「上部球受皿」は「遊技球を貯留する球受皿（９）」に、「パチンコ球を貯留する景品球タンクＡ」は「遊技球を貯留する遊技球タンク（３０）」に、「パチンコ機」は「弾球遊技機」に、それぞれ相当する。
　そして、引用発明１の「景品球払出機構Ｂ」は、箱状ケース部Ｋ内に収められ、該箱状ケース部Ｋは取付用ビス２９を螺締することにより、枠部材６の右側枠６ａの裏面に一体に設けられた保持部材８に組み付けられるのであり、また内部には上部球受皿に景品球を同時に複数個払い出す第１景品球払出装置３９ａと前記上部球受皿に景品球を１個ずつ払い出す第２景品球払出装置３９ｂとが設けられるのであるから、本願補正発明の「球受皿（９）に賞球を払い出す賞球払出手段（３２ａ）と、球受皿（９）に貸球を払い出す貸球払出手段（３２ｂ）とを、遊技盤装着枠（５）に着脱自在に装着し」の事項と比較すると「球受皿（９）に遊技球を払い出す遊技球払出装置を、遊技盤装着枠（５）に着脱自在に装着し」の事項において一致し、
　引用発明１の「球流路２４」は、取付板１２の一側裏面に装着され、該取付板１２は枠部材６の上側枠６ｃの上面に沿って着脱自在に組み付けられるのであるから、本願補正発明の「遊技球タンク（３０）から前記賞球払出手段（３２ａ）及び前記貸球払出手段（３２ｂ）に遊技球を誘導する球供給通路（３１）とを、前記遊技盤装着枠（５）の横枠部（５ｃ）に着脱自在に装着し」及び「遊技盤装着枠（５）の上部の横枠部（５ｃ）に前記球供給通路（３１）を装着する」と比較して「遊技球タンク（３０）から遊技球払出装置に遊技球を誘導する遊技球供給流路を、前記遊技盤装着枠（５）の横枠部（５ｃ）に着脱自在に装着し」及び「遊技盤装着枠（５）の上部の横枠部（５ｃ）に遊技球供給流路を装着する」において一致している。
　また、引用発明１の「遊技盤３」は、支持板部５に載置され前面両側を左右側枠６ａ，６ｂの段部７に当接するようにして遊技盤取付枠４に固定されているのであるから、本願補正発明の「遊技盤装着枠（５）に着脱自在に装着された遊技盤（６）」の技術事項を有していると認められ、
　引用発明１の「景品球タンクＡ」は、枠部材６の上部裏面に上側枠６ｃの上面に沿って着脱自在に組み付けられ、また枠部材６を備えた遊技盤取付枠４は前面枠２の裏側に固着されるのであるから、本願補正発明の「遊技球タンク（３０）を、着脱自在に装着」及び「前枠（４）の裏面で横枠部（５ｃ）の上面に沿って遊技球タンク（３０）を設け」の技術事項を有していると認められ、
　引用発明１の「前面枠２の裏側に固着される遊技盤取付枠４」は、遊技盤３の下端縁を支持する支持板部５と、該支持板部５の両側部より上方に門状に形成され遊技盤３の前面両側端縁及び上端縁を支持する枠部材６とにより一体に形成され、枠部材６の左右側枠６ａ，６ｂの内面には上側枠６ｃの裏面と連なる段部７，７が設けられ、遊技盤３前面両側を左右側枠６ａ，６ｂの段部７に当接するようにして遊技盤３を遊技盤取付枠４に固定するのであるから、本願補正発明の「前枠（４）の裏面に、前記遊技盤（６）を装着するための遊技盤装着枠（５）を設け、該遊技盤装着枠（５）は前記遊技盤（６）が着脱自在に嵌合する受け部（２３）を有する門型状とし」の技術事項を有していると認められる。
　そうすると、両者の一致点及び相違点は次のとおりである。
　
　一致点
「外枠と、該外枠に開閉自在に枢着された前枠と、遊技盤装着枠に着脱自在に装着された遊技盤と、遊技球を貯留する球受皿とを備え、前記球受皿に遊技球を払い出す遊技球払出装置を、遊技盤装着枠に着脱自在に装着し、遊技球を貯留する遊技球タンクを、着脱自在に装着し、該遊技球タンクから前記遊技球払出装置に遊技球を誘導する遊技球供給流路を、遊技盤装着枠の横枠部に着脱自在に装着した弾球遊技機において、
　前記前枠の裏面に、前記遊技盤を装着するための遊技盤装着枠を設け、該遊技盤装着枠は前記遊技盤が着脱自在に嵌合する受け部を有する門型状とし、前記遊技盤装着枠の上部の横枠部に前記遊技球供給流路を装着すると共に、前記前枠の裏面で前記横枠部の上面に沿って前記遊技球タンクを設けたことを特徴とする弾球遊技機。」　
　
　相違点
　（Ａ）球受皿に遊技球を払い出す遊技球払出装置が、本願補正発明では、賞球を払い出す賞球払出手段と貸球を払い出す貸球払出手段を備えるのに対し、引用発明１では、貸球払出手段を備えておらず、景品球を同時に複数個払い出す第１景品球払出装置３９ａと景品球を１個ずつ払い出す第２景品球払出装置３９ｂとが設けられている点。
　（Ｂ）遊技球供給流路が、本願補正発明では、遊技球タンクから賞球払出手段及び貸球払出手段に遊技球を誘導するものであるのに対し、引用発明１では、貸球払出手段を備えておらず、遊技球タンクから賞球払出手段に遊技球を誘導するものである点。
　（Ｃ）着脱自在な遊技球タンクを、本願補正発明では前枠に装着し、横枠部で遊技球タンクの重量を下側から受けるように横枠部上に設けたのに対し、引用発明１では遊技盤装着枠（遊技盤取付枠）に装着した点。
　
　そこで、上記相違点について検討する。
　相違点（Ａ）について　　
　引用発明２には、球受皿（上皿１９）に賞球を払い出す賞球払出手段（賞球払出機構）と球受皿に貸球を払い出す貸球払出手段（貸球払出機構）とを備える遊技球払出装置（球払出装置２４０）が記載されている。そして、引用発明１及び２は複数の遊技球払出手段を備えた弾球遊技機において共通しているから、引用発明１の遊技球払出装置（景品球払出機構Ｂ）に引用発明２の遊技球払出装置（球払出装置２４０）を適用し、相違点（Ａ）に係る本願補正発明を特定する事項とすることは、当業者が容易になし得ることである。　
　相違点（Ｂ）について　
　引用発明２には、遊技球タンク（賞球タンク２０４）から賞球払出手段（賞球払出機構）及び貸球払出手段（貸球払出機構）に遊技球を誘導する遊技球供給流路（玉整列レール部材２１３、カーブレール部材２２４、玉通路部材２２７）が記載されている。そして、引用発明１及び２は弾球遊技機において共通しているから、引用発明１の遊技球供給流路（球流路２４）に引用発明２の遊技球供給流路（玉整列レール部材２１３、カーブレール部材２２４、玉通路部材２２７）を適用し、相違点（Ｂ）に係る本願補正発明を特定する事項とすることは、当業者が容易になし得たものである。
　相違点（Ｃ）について　　
　遊技球タンクの重量を下側から受けるように支持部材上に遊技球タンクを設ける技術は、例えば、引用発明３に示された「球タンク６の底部を支える機能を有する取付部１０に臨ませる球タンク６」及び引用発明４に示された「受け部１７上に配置される貯留供給手段１１」のように弾球遊技機の技術分野において周知・慣用の技術である。また、遊技球タンクを遊技機のどの部材に装着するかは、他の構成部材との関連性や、取付部分の強度などを考慮して、当業者が適宜なし得る設計上の事項であるから、引用発明１の遊技球タンク（景品球タンクＡ）に遊技球タンクの配置手法として共通している上記周知・慣用の技術を適用する際に遊技球タンクの装着箇所を限定し、相違点（Ｃ）に係る本願補正発明を特定する事項とすることは、当業者が容易になし得ることである。
　
　また、効果においても、引用発明１は「機構板を無くし、取付作業の簡略化やコストの低廉が図られる」ものであるから、本願補正発明が格別の効果を奏するものとは認められない。
　
　したがって、本願補正発明は、引用発明１及び２並びに周知・慣用技術に基づいて当業者が容易に発明をすることができたものであるから、特許法第２９条第２項の規定により、特許出願の際独立して特許を受けることができないものである。
　
　（う）むすび
　以上のとおり、本件補正は、平成１５年改正前特許法第１７条の２第５項で準用する同法第１２６条第４項の規定に違反するものであり、特許法第１５９条第１項で準用する特許法第５３条第１項の規定により却下されるべきものである。
　
第三、本願発明について
　平成１５年１１月２０日付けの手続き補正は上記のとおり却下されたので、本願の請求項１乃至９に係る発明は、上記平成１５年１月２１日付けで補正された明細書の記載からみて、その特許請求の範囲の請求項１乃至９に記載されたとおりのものと認められるところ、その請求項１に記載された発明は次のとおりのものである。
　「外枠（２）と、該外枠（２）に開閉自在に枢着された前枠（４）と、該前枠（４）に着脱自在に装着された遊技盤（６）と、遊技球を貯留する球受皿（９）とを備えた弾球遊技機において、
　前記球受皿（９）に賞球を払い出す賞球払出手段（３２ａ）と、前記球受皿（９）に貸球を払い出す貸球払出手段（３２ｂ）と、遊技球を貯留する遊技球タンク（３０）と、該遊技球タンク（３０）から前記賞球払出手段（３２ａ）及び前記貸球払出手段（３２ｂ）に遊技球を誘導する球供給通路（３１）とを、前記前枠（４）に着脱自在に装着すると共に、前記前枠（４）の裏側に、前記遊技盤（６）を装着するための遊技盤装着枠（５）を設け、該遊技盤装着枠（５）の横枠部（５ｃ）に前記球供給通路（３１）を装着し、前記遊技球タンク（３０）を前記横枠部（５ｃ）の上面に沿って設けたことを特徴とする弾球遊技機。」（以下、「本願発明」という）
　
　（１）特許法第３６条第６項第２号の検討
　「遊技盤（６）」及び「球供給通路（３１）」の構成について、本願発明における「・・・と、該前枠（４）に着脱自在に装着された遊技盤（６）と、・・・とを備えた弾球遊技機において、
　・・・と、該遊技球タンク（３０）から前記賞球払出手段（３２ａ）及び前記貸球払出手段（３２ｂ）に遊技球を誘導する球供給通路（３１）とを、前記前枠（４）に着脱自在に装着すると共に、前記前枠（４）の裏側に、前記遊技盤（６）を装着するための遊技盤装着枠（５）を設け、該遊技盤装着枠（５）の横枠部（５ｃ）に前記球供給通路（３１）を装着し、・・・とする弾球遊技機。」の記載では、 
　遊技盤（６）が着脱自在に設け（着脱自在に装着、装着）られる対象は、前枠（４）であるのか遊技盤装着枠（５）であるのかが不明であり、
　球供給通路（３１）が設け（着脱自在に装着、装着）られる対象は、前枠（４）であるのか遊技盤装着枠（５）の横枠部（５ｃ）であるのかが不明である。 
　したがって、本願発明の記載は、特許を受けようとする発明が明確でない。　
　
　（２）特許法第２９条第２項の検討
　（あ）引用刊行物に記載された発明
　原査定の拒絶理由通知に引用された刊行物と本願出願前に頒布された刊行物及びその記載事項は前記「第二、（４）（あ）」に記載したとおりである。
　
　（い）本願発明と引用発明との対比・判断
　本願発明は、上記「第３．（１）」に記載したとおり特許を受けようとする発明が明確でなく、各構成部材について「発明の実施の形態」を参照しても、依然として、特許を受けようとする発明が明確でなく、「図面」を参照し、それらに示された事項を、「発明の実施の形態」に記載された内容と照合すると、両者が符合することは、上記「第二、（４）（い）」に記載のとおりである。
　
　よって、本願発明は、「図面」に示された上記（い−１）乃至（い−５）の記載内容を参酌し、次のとおりのものと解釈し直して、比較・検討する。（下線部が解釈変更部分である。）
「外枠（２）と、該外枠（２）に開閉自在に枢着された前枠（４）と、
遊技盤装着枠（５）
　前記球受皿（９）に賞球を払い出す賞球払出手段（３２ａ）と、前記球受皿（９）に貸球を払い出す貸球払出手段（３２ｂ）と
を、前記遊技盤装着枠５に着脱自在に装着し、
を、前記前枠（４）に着脱自在に装着し、
を、遊技盤装着枠（５）の横枠部（５ｃ）に
　
　本願補正発明（当審で解釈し直したもの、下線部が解釈変更部分）は、本願発明（当審で解釈し直したもの）を特定するために必要な事項である「遊技盤（６）を装着するための遊技盤装着枠（５）」について「遊技盤装着枠（５）は前記遊技盤（６）が着脱自在に嵌合する受け部（２３）を有する門型状とし、」と限定し、また同「遊技盤装着枠（５）の横枠部（５ｃ）に前記球供給通路（３１）を装着」を「遊技盤装着枠（５）の上部の横枠部（５ｃ）に前記球供給通路（３１）を装着」と限定し、同「遊技球タンク（３０）を前記横枠部（５ｃ）の上面に沿って設けた」を「横枠部（５ｃ）で前記遊技球タンク（３０）の重量を下側から受けるように、前記前枠（４）の裏面で前記横枠部（５ｃ）上に該横枠部（５ｃ）の上面に沿って前記遊技球タンク（３０）を設けた」と限定するものである。
　そうすると、本願発明の発明特定事項を全て含み、さらに他の発明特定事項を付加したものに相当する本願補正発明が、前記「第二、（４）（い）」に記載したとおり、引用発明１及び２並びに周知・慣用技術に基づいて、当業者が容易に発明をすることができたものであるから、本願発明も、同様の理由により、引用発明１及び２並びに周知・慣用技術に基づいて、当業者が容易に発明をすることができたものである。
　
　（う）むすび
　以上のとおり、本願発明は、引用発明１及び２並びに周知・慣用技術に基づいて当業者が容易に発明をすることができたものであるから、本願の他の請求項に係る発明について検討するまでもなく、特許法第２９条第２項の規定により、特許を受けることができない。
　
　よって、結論のとおり審決する。